(57)【要約】【課題】利便性及び操作性を向上できる電気掃除機を提供する。【解決手段】電動送風機３を内装する本体部２と、吸込口６ａを有した吸込口体６と、本体部２と吸込口体６との間に配された伸縮自在の延長管１０とを備えた電気掃除機１において、延長管１０が、複数の係合溝１１ａを外周面に有する内パイプ１１と、内パイプ１１を内嵌する連結パイプ３１と、連結パイプ３１の外周に取り付けられて連結パイプ３１の軸方向に垂直な方向に可動するとともに係合溝１１ａに係合する突起部３２ａを有した伸縮ストッパ３２と、伸縮ストッパ３２の突起部３２ａと反対側の面に取り付けられて押圧により突起部３２ａと係合溝１１ａとの係合を解除する操作ボタン３３と、連結パイプ３１を内面に固定して操作ボタン３３が貫通する開口部２１ｂを設けた外パイプ２１とを有し、操作ボタン３３が開口部２１ｂを介して伸縮ストッパ３２に取り付けられる。【選択図】図６
2011055918.tif 000002
【特許請求の範囲】
【請求項１】
電動送風機を内装する本体部と、床面に対峙する吸込口を有した吸込口体と、前記本体部と前記吸込口体との間に配された伸縮自在の延長管とを備えた電気掃除機において、前記延長管が、軸方向に並ぶ複数の係合溝を外周面に有する内パイプと、前記内パイプを軸方向に移動可能に内嵌して前記係合溝に対面する孔部を開口した連結パイプと、前記連結パイプの外周に取り付けられて前記連結パイプの軸方向に垂直な方向に可動するとともに前記孔部を介して前記係合溝に係合する突起部を有した伸縮ストッパと、前記伸縮ストッパの前記突起部と反対側の面に取り付けられて使用者の押圧により前記突起部と前記係合溝との係合を解除する操作ボタンと、前記突起部を前記係合溝に係合させる方向に前記伸縮ストッパを前記操作ボタンとともに付勢する付勢部と、前記連結パイプを内面に固定して前記操作ボタンが貫通する開口部を設けた外パイプとを有し、前記操作ボタンが前記開口部を介して前記伸縮ストッパに取り付けられることを特徴とする電気掃除機。
【請求項２】
前記伸縮ストッパを可動範囲の前記開口部から離れた端部に配したときに前記操作ボタンが前記開口部内に配されることを特徴とする請求項１に記載の電気掃除機。
【請求項３】
前記伸縮ストッパを可動範囲の前記開口部から離れた端部に配したときに前記操作ボタンが前記開口部よりも突出することを特徴とする請求項２に記載の電気掃除機。
【請求項４】
前記操作ボタンは対向する二面の下端を広げて前記伸縮ストッパに係合される係合部を有して前記伸縮ストッパに係着されるとともに前記開口部から該下端が露出し、前記操作ボタンの下端を覆って前記操作ボタンの上部が挿通される挿通孔を有した外パイプカバーを設けるとともに、前記伸縮ストッパを可動範囲の前記開口部から離れた端部に配したときに前記操作ボタンが前記挿通孔内に配されることを特徴とする請求項１に記載の電気掃除機。
【請求項５】
前記伸縮ストッパを可動範囲の前記開口部から離れた端部に配したときに前記操作ボタンが前記挿通孔よりも突出することを特徴とする請求項４に記載の電気掃除機。
【請求項６】
前記内パイプがポリプロピレンから成ることを特徴とする請求項１〜請求項５のいずれかに記載の電気掃除機。
【発明の詳細な説明】
【技術分野】
【０００１】
本発明は、伸縮可能な延長管を有する電気掃除機に関する。
【背景技術】
【０００２】
従来の電気掃除機は特許文献１に開示されている。この電気掃除機は吸込口を有する吸込口体に延長管が接続され、電動送風機を内装する本体部と延長管との間が可撓性の接続ホースにより接続される。延長管は外パイプの内部に内パイプを配して内パイプが軸方向に移動することにより伸縮自在になっている。
【０００３】
内パイプは軸方向に並ぶ複数の係合溝が下方に面した外周面に設けられ、外パイプ内に固定された連結パイプ（保持部材）に内嵌して軸方向に移動可能になっている。連結パイプは係合溝に対面する孔部が形成され、外周面に沿って軸方向に垂直な方向に移動可能な伸縮ストッパ（ホルダー部材）が取り付けられる。
【０００４】
伸縮ストッパは孔部を介して係合溝に係合する突起部が設けられる。伸縮ストッパの突起部と反対側の上方に面した外周面には使用者が押圧する操作ボタンが一体に設けられ、外パイプには操作ボタンが貫通する開口部が形成される。また、伸縮ストッパは突起部が係合溝に係合する方向に付勢されている。
【０００５】
上記構成の電気掃除機において、操作ボタンを手指で押圧して突起部と係合溝との係合が解除された状態で、内パイプが連結パイプ内を摺動して外パイプに対して出し入れされる。操作ボタンから手指を離すと伸縮ストッパが付勢されて突起部が孔部を介して係合溝に係合する。これにより、延長管を所望の長さに調節して掃除を行うことができる。
【０００６】
この時、操作ボタンが上方に配され、係合溝が下方に配される。このため、操作性がよく、内パイプの係合溝を使用者から見えにくくして美感を向上することができる。
【先行技術文献】
【特許文献】
【０００７】
【特許文献１】特開２０００−２７１０５０号公報（第３頁−第５頁、第１図）
【発明の概要】
【発明が解決しようとする課題】
【０００８】
しかしながら、上記従来の電気掃除機によると、延長管を組立てる際に操作ボタンと一体の伸縮ストッパは連結パイプに取り付けられ、伸縮ストッパを押し下げた状態で外パイプ内に挿通される。そして、操作ボタンが開口部に面して配されると付勢により操作ボタンが開口部から突出し、連結パイプがネジ止め等により固定される。操作ボタンは開口部から突出した長さのストロークを有し、操作ボタンのストロークの範囲で係合溝と突起部とが係脱する。
【０００９】
この時、操作ボタンのストロークは伸縮ストッパの可動距離に対して外パイプの肉厚分だけ短くなる。このため、係合溝と突起部との係合深さを大きく確保することができず、内パイプに軸方向の荷重が加えられた際に突起部が係合溝から脱落して利便性が悪くなる問題があった。また、操作ボタンの開口部からの突出量が短いため、操作性が悪い問題もあった。
【００１０】
本発明は、利便性及び操作性を向上できる電気掃除機を提供することを目的とする。
【課題を解決するための手段】
【００１１】
上記目的を達成するために本発明は、電動送風機を内装する本体部と、床面に対峙する吸込口を有した吸込口体と、前記本体部と前記吸込口体との間に配された伸縮自在の延長管とを備えた電気掃除機において、前記延長管が、軸方向に並ぶ複数の係合溝を外周面に有する内パイプと、前記内パイプを軸方向に移動可能に内嵌して前記係合溝に対面する孔部を開口した連結パイプと、前記連結パイプの外周に取り付けられて前記連結パイプの軸方向に垂直な方向に可動するとともに前記孔部を介して前記係合溝に係合する突起部を有した伸縮ストッパと、前記伸縮ストッパの前記突起部と反対側の面に取り付けられて使用者の押圧により前記突起部と前記係合溝との係合を解除する操作ボタンと、前記突起部を前記係合溝に係合させる方向に前記伸縮ストッパを前記操作ボタンとともに付勢する付勢部と、前記連結パイプを内面に固定して前記操作ボタンが貫通する開口部を設けた外パイプとを有し、前記操作ボタンが前記開口部を介して前記伸縮ストッパに取り付けられることを特徴としている。
【００１２】
この構成によると、電動送風機の駆動により床面の塵埃が吸込口体の吸込口から吸い込まれ、延長管を介して本体部に導かれて集塵される。延長管の内パイプは外パイプ内に固定された連結パイプに内嵌して軸方向に移動し、複数の係合溝が軸方向に並設される。連結パイプの外周面には軸方向に垂直な方向に可動の伸縮ストッパが取り付けられる。伸縮ストッパは対向する位置に突起部及び操作ボタンが設けられ、付勢部によって操作ボタンを押し上げる方向に付勢される。突起部は付勢部の付勢によって連結パイプに設けた孔部を介して係合溝に係合し、外パイプの開口部を貫通して突出する操作ボタンの押圧によって係合溝との係合が解除される。操作ボタンを手指により押圧して内パイプを外パイプに対して出し入れし、所望の位置で操作ボタンから手指を離すことにより突起部が係合溝に係合して内パイプが固定される。延長管の組立て持には伸縮ストッパを外パイプに挿入した後に開口部を介して操作ボタンが伸縮ストッパに取り付けられる。
【００１３】
また本発明は、上記構成の電気掃除機において、前記伸縮ストッパを可動範囲の前記開口部から離れた端部に配したときに前記操作ボタンが前記開口部内に配されることを特徴としている。
【００１４】
また本発明は、上記構成の電気掃除機において、前記伸縮ストッパを可動範囲の前記開口部から離れた端部に配したときに前記操作ボタンが前記開口部よりも突出することを特徴としている。
【００１５】
また本発明は、上記構成の電気掃除機において、前記操作ボタンは対向する二面の下端を広げて前記伸縮ストッパに係合される係合部を有して前記伸縮ストッパに係着されるとともに前記開口部から該下端が露出し、前記操作ボタンの下端を覆って前記操作ボタンの上部が挿通される挿通孔を有した外パイプカバーを設けるとともに、前記伸縮ストッパを可動範囲の前記開口部から離れた端部に配したときに前記操作ボタンが前記挿通孔内に配されることを特徴としている。
【００１６】
この構成によると、操作ボタンは下端を広げられて係合部によって伸縮ストッパに係着される。操作ボタンの下端は開口部から露出して外パイプカバーにより覆われ、操作ボタンの上部が外パイプカバーの挿通孔を貫通して突出する。外パイプカバーを外して開口部を介して手指により操作ボタンの下端を広げると操作ボタンを伸縮ストッパから取り外すことができ、延長管を容易に分解できる。
【００１７】
また本発明は、上記構成の電気掃除機において、前記伸縮ストッパを可動範囲の前記開口部から離れた端部に配したときに前記操作ボタンが前記挿通孔よりも突出することを特徴としている。
【００１８】
また本発明は、上記構成の電気掃除機において、前記内パイプがポリプロピレンから成ることを特徴としている。
【発明の効果】
【００１９】
本発明によると、操作ボタンが外パイプの開口部を介して伸縮ストッパに取り付けられるので、伸縮ストッパを外パイプに挿通した後に操作ボタンを取り付けて操作ボタンの外パイプからの突出量を大きくすることができる。これにより、操作ボタンの操作性を向上することができる。また、操作ボタンのストロークを大きくすることができ、係合溝と突起部との係合深さを大きくすることができる。従って、突起部の係合溝からの脱落を防止し、電気掃除機の利便性を向上することができる。
【図面の簡単な説明】
【００２０】
【図１】本発明の実施形態の電気掃除機を示す側面断面図
【図２】本発明の実施形態の電気掃除機の延長管を示す上面図
【図３】図２のＡ−Ａ断面図
【図４】本発明の実施形態の電気掃除機の延長管の内パイプ組品を示す分解斜視図
【図５】本発明の実施形態の電気掃除機の延長管の外パイプと外パイプカバーとを分解した斜視図
【図６】本発明の実施形態の電気掃除機の延長管の要部を示す断面斜視図
【図７】図３のＢ−Ｂ断面図
【図８】本発明の実施形態の電気掃除機の延長管の連結パイプを示す斜視図
【図９】本発明の実施形態の電気掃除機の延長管の伸縮ストッパを示す斜視図
【図１０】本発明の実施形態の電気掃除機の延長管の操作ボタンを示す斜視図
【図１１】本発明の実施形態の電気掃除機の延長管の操作ボタンを押圧した状態を示す断面図
【発明を実施するための形態】
【００２１】
以下に本発明の実施形態を図面を参照して説明する。図１は一実施形態の電気掃除機の側面断面図を示している。電気掃除機１は電動送風機３を内装する本体部２を有し、本体部２には可撓性の接続ホース４が取り付けられる。接続ホース４の端部には延長管１０が接続され、延長管１０との接続部から分岐して使用者が把持する把持部５が設けられる。
【００２２】
延長管１０の先端には床面に対峙する吸込口６ａを有した吸込口体６が接続される。吸込口体６内には床面に接して回転する回転ブラシ７が設けられる。電動送風機３の駆動によって吸込口６ａから床面の塵埃が吸い込まれ、延長管１０及び接続ホース４を介して本体部２内に集塵される。
【００２３】
図２は延長管１０の上面図を示しており、図３は図２のＡ−Ａ断面図を示している。延長管１０は外パイプ２１の先端の内部に連結パイプ３１が取り付けられ、連結パイプ３１に内パイプ１１が嵌合する。これにより、内パイプ１１が連結パイプ３１と摺動して軸方向に移動し、延長管１０が伸縮自在になっている。
【００２４】
内パイプ１１は内パイプカバー１２及びリード線カバー１３を一体化した内パイプ組品１６（図４参照）に形成される。外パイプ２１の上面は外パイプカバー２２で覆われる。リード線カバー１３は詳細を後述するように連結パイプ３１を貫通して外パイプ２１の後部と外パイプカバー２２との間に配される。
【００２５】
図４は内パイプ組品１６の分解斜視図を示している。内パイプ１１、内パイプカバー１２及びリード線カバー１３はポリプロピレンから成り、軽量化が図られている。内パイプ１１の下方に面した外周面には軸方向に並ぶ複数の係合溝１１ａ（図３参照）が凹設される。
【００２６】
内パイプ１１の前端には拡径された拡径部１１ｂが設けられ、拡径部１１ｂの上面には端子部１１ｃが設けられる。端子部１１ｃの前部には吸込口体６（図１参照）を脱着する操作ボタン１４（図３参照）が取り付けられる。端子部１１ｃには吸込口体６を装着した際に回転ブラシ７（図１参照）の駆動モータ（不図示）に導通する端子（不図示）が設けられ、該端子にリード線１８（図７参照）が接続される。内パイプ１１の後端にはバンド状のストッパ１７（図３参照）が嵌着される溝部１１ｄが設けられる。ストッパ１７によって内パイプ１１が抜け止めされる。
【００２７】
内パイプカバー１２は端子部１１ｃを覆って美装し、リード線カバー１３の前端を挟んでネジ１２ａ（図３参照）によって内パイプ１１にネジ止めされる。リード線カバー１３はネジ１２ａによりネジ止めされる前端から後方に延び、リード線１８（図７参照）を保持する。リード線１８の後端には下方に突出する端子１５（図３参照）が取り付けられる。
【００２８】
図５は外パイプ２１と外パイプカバー２２とを分解した斜視図を示している。外パイプ２１及び外パイプカバー２２はポリプロピレンから成り、軽量化が図られている。外パイプ２１の前端には拡径して連結パイプ３１（図３参照）が配される拡径部２１ａが設けられる。拡径部２１ａの上面には後述する操作ボタン３４（図３参照）が貫通する開口部２１ｂが開口する。また、拡径部２１ａの後方の面は開放され、リード線カバー１３が嵌挿される。
【００２９】
外パイプ２１の拡径部２１ａよりも後方の上面には電極２３が前後に延びて設けられる。電極２３は接続ホース４（図１参照）内に設けたリード線（不図示）と導通して本体部２内の制御基板（不図示）に接続される。外パイプ２１に対して出し入れされる内パイプ１１と一体の端子１５（図３参照）は電極２３上を摺接する。これにより、回転ブラシ７（図１参照）の駆動モータに電力を供給して回転ブラシ７を回転駆動することができる。
【００３０】
尚、回転ブラシ７は吸込口６ａから吸い込まれる気流により回転させてもよい。この時、延長管１０から電極２３、リード線１８及びリード線カバー１３を取り外すと、回転ブラシ７をモータ駆動する場合と共通の延長管１０を使用することができる。この時、内パイプカバー１２とリード線カバー１３とは分割して内パイプ１１に取り付けられるので、内パイプカバー１２を別途作成する必要がなくコスト増加を抑制できる。リード線カバー１３が挿通される拡径部２１ａの後方の面は共通の金型を使用して金型部品の着脱により容易に開放状態と閉塞状態とに可変することができる。
【００３１】
外パイプカバー２２の前端及び後端には孔部２２ｂ、２２ｃがそれぞれ設けられる。後方の孔部２２ｃに挿通されるネジ（不図示）が外パイプ２１に螺合される。前方のネジ孔２２ｂに挿通されるネジ２４（図３参照）は外パイプ２１の拡径部２１ａに設けた孔部２１ｃを貫通して連結部３１に螺合される。これにより、外パイプカバー２２は外パイプ２１の電極２３及び拡径部２１ａの上面を覆って美装する。
【００３２】
外パイプカバー２２には外パイプ２１の開口部２１ｂに対向して操作ボタン３３（図３参照）が挿通される挿通孔２２ａが設けられる。開口部２１ｂは外パイプ２１の軸方向に垂直な方向の幅が挿通孔２２ａよりも広く形成される。これにより、後述する操作ボタン３３の下端が開口部２１ｂから露出して外パイプカバー２２により覆われる。
【００３３】
図６は延長管１０の要部の断面斜視図を示している。図７は図３のＢ−Ｂ断面図を示している。連結パイプ３１は前述のネジ２４により上方から外パイプ２１にネジ止めされ、ネジ２５により下方から外パイプ２１にネジ止めされる。連結パイプ３１には伸縮ストッパ３２が嵌着され、伸縮ストッパ３２の上面には操作ボタン３３が取り付けられる。
【００３４】
図８は連結パイプ３１の斜視図を示している。連結パイプ３１は内パイプ１１が嵌合する筒状部３１ｆの上方にリード線カバー１８が挿通されるリード線挿通部３１ｂが設けられる。連結パイプ３１の外周面には軸方向に離れた２箇所に保持板３１ｃが突設される。保持板３１ｃ間に伸縮ストッパ３２が配される。
【００３５】
保持板３１ｃ間の下面には内パイプ１１の係合溝１１ａ（図３参照）に対向する孔部３１ａが設けられる。保持板３１ｃ間の上面にはボス３１ｅが突設される。ボス３１ｅには圧縮バネから成る付勢部３４（図６参照）が嵌合して設置される。また、保持板３１ｃ間の両側部には開口部３１ｄが開口し、開口部３１ｄの上方にはリブ３１ｇが突設される。
【００３６】
図９は伸縮ストッパ３２の斜視図を示している。伸縮ストッパ３２は上方が切断された断面略Ｃ字型のバンド状に形成され、側面にリブ３２ｃが突設される。伸縮ストッパ３２の上部を広げて連結パイプ３１の保持板３１ｃ（図８参照）間に嵌着することにより、伸縮ストッパ３２は弾性力によって連結パイプ３１に保持される。
【００３７】
この時、伸縮ストッパ３２は連結パイプ３１のリブ３１ｇに内面が摺動し、リブ３２ｃが外パイプ２１の内面に摺動して軸方向に垂直な方向（上下方向）に可動になっている。このため、リブ３１ｇ、３２ｃの表面は上下方向に延びる平面に形成され、外パイプ２１の側部の内面が平面に形成される。リブ３１ｇ、３２ｃによって伸縮ストッパ３２の可動時の摺動摩擦を低減することができる。尚、保持板３１ｃにより伸縮ストッパ３２の軸方向の移動が規制される。
【００３８】
伸縮ストッパ３２の下部には内側に向かって突出して内パイプ１１の係合溝１１ａに係合する突起部３２ａが設けられる。伸縮ストッパ３２の上部の外周面には係合爪３２ｂが設けられる。
【００３９】
図１０は操作ボタン３３の斜視図を示している。操作ボタン３３は上部に使用者が押圧するキャップ状の押圧部３３ａが設けられる。押圧部３３ａの下方には伸縮ストッパ３２に沿って延設される延設部３３ｃが設けられる。延設部３３ｃには伸縮ストッパ３２の係合爪３２ｂに係合する係合孔３３ｂが設けられる。
【００４０】
伸縮ストッパ３２の上方から操作ボタン３３を押し込むことにより延設部３３ｃの対向する二面の下端が広がる。これにより、係合孔３３ｂが係合爪３２ｂに係合して操作ボタン３３が伸縮ストッパ３２に係着される。この時、延設部３３ｃの下端は外パイプ２１の開口部２１ｂから露出する。このため、開口部２１ｂを介して手指で延設部３３ｃの下端を広げることにより、操作ボタン３３を取り外すことができる。
【００４１】
図６、図７において、延長管１０を組立てる際には、まず伸縮ストッパ３２を嵌着した連結パイプ３１に内パイプ組品１６を挿通してストッパ１７が取り付けられる。次に、伸縮ストッパ３２を押し下げた状態で連結パイプ３１が外パイプ２１に挿通される。次に、ボス３１ｅに付勢部３４を配し、操作ボタン３３が開口部２１ｂを介して押し込まれて伸縮ストッパ３２に取り付けられる。そして、連結パイプ３１及び外パイプカバー２２がネジ止めされる。
【００４２】
連結パイプ３１のボス３１ｅに嵌合する付勢部３４は操作ボタン３３のキャップ状の押圧部３３ｂの内面に当接する。これにより、操作ボタン３３と伸縮ストッパ３２とが一体に上方に付勢され、操作ボタン３３が外パイプカバー２２の挿通孔２２ａから突出する。この時、伸縮ストッパ３２の突起部３２ａは内パイプ１１の所望位置の係合溝１１ａに孔部３１ａを介して係合し、内パイプ１１が固定される。
【００４３】
付勢部３４の付勢力に抗して操作ボタン３３を押圧すると図１１に示すように、操作ボタン３３と伸縮ストッパ３２とが一体に押し下げられる。これにより、伸縮ストッパ３２の突起部３２ａが内パイプ１１の係合溝１１ａから脱離し、内パイプ１１を所望位置に出し入れして延長管１０を伸縮することができる。
【００４４】
この時、操作ボタン３３のストロークは操作ボタン３３の外パイプカバー２２からの突出量と伸縮ストッパ３２の可動距離との短い方になる。このため、伸縮ストッパ３２を可動範囲の開口部２１ｂから離れた端部に配したときに外パイプカバー２２の挿通孔２２ａから突出するように操作ボタン３３を形成すると、操作ボタン３３のストロークを伸縮ストッパ３２の可動距離まで大きくすることができる。従って、係合溝１１ａと突起部３２ａとの係合深さを大きくできる。
【００４５】
また、伸縮ストッパ３２を可動範囲の開口部２１ｂから離れた端部に配したときに外パイプカバー２２の挿通孔２２ａ内に操作ボタン３３の上面が配置されると、伸縮ストッパ３２の可動距離に対する操作ボタン３３のストロークの減少量は外パイプカバー２２の肉厚よりも小さくなる。従って、前述の従来例よりも係合溝１１ａと突起部３２ａとの係合深さを大きくできる。
【００４６】
本実施形態によると、操作ボタン３３と伸縮ストッパ３２とを分離して操作ボタン３３が外パイプ２１の開口部３１ｂを介して伸縮ストッパ３２に取り付けられるので、伸縮ストッパ３２を外パイプ２１に挿通した後に操作ボタン３３を取り付けて操作ボタン３３の外パイプ２１及び外パイプカバー２２からの突出量を大きくすることができる。これにより、操作ボタン３３の操作性を向上することができる。また、操作ボタン３３のストロークを大きくすることができ、係合溝１１ａと突起部３２ａとの係合深さを大きくすることができる。従って、突起部３２ａの係合溝１１ａからの脱落を防止し、電気掃除機１の利便性を向上することができる。
【００４７】
この時、伸縮ストッパ３２を可動範囲の開口部２１ｂから離れた端部に配したときに操作ボタン３３を挿通孔２２ａ内に配すると、伸縮ストッパ３２の可動距離に対する操作ボタン３３のストロークの減少量を従来よりも小さくすることができる。
【００４８】
また、伸縮ストッパ３２を可動範囲の開口部２１ｂから離れた端部に配したときに操作ボタン３３を挿通孔２２ａよりも突出させると、伸縮ストッパ３２の可動距離まで操作ボタン３３のストロークを大きくすることができる。
【００４９】
また、操作ボタン３３は延設部３３ｃの対向する二面の下端を広げて係合孔３３ｂ（係合部）により伸縮ストッパ３３に係着される。この時、外パイプ２１の開口部２１ｂから延設部３３ｃの下端が露出し、外パイプカバー２２により覆われる。このため、開口部２１ｂを介して手指で延設部３３ｃの下端を広げることによって操作ボタン３３を取り外し、延長管１０を容易に分解して補修することができる。
【００５０】
また、係合溝１１ａを有する内パイプ１１がポリプロピレンから成るので、軽量化を図ることができる。この時、内パイプ１１が変形し易くなるため突起部３２ａが係合溝１１ａから脱落し易くなるが、上記構成によって脱落を防止してより大きな効果を奏することができる。
【００５１】
本実施形態において、外カバー２１の拡径部２１ａ上の美装が不要の場合は拡径部２１ａ上から外パイプカバー２２を省いてもよい。この時、開口部２１ｂを操作ボタン３３の押圧部３３ａが嵌合する大きさに形成し、操作ボタン３３の延設部３３ｃを押圧部３３ａを下方に延びて形成するとより望ましい。これにより、美感を向上できるとともに開口部２１ｂを介して操作ボタン３３を取り付けることができる。
【００５２】
この時、伸縮ストッパ３２を可動範囲の開口部２１ｂから離れた端部に配したときに操作ボタン３３を開口部２１ｂ内に配すると、伸縮ストッパ３２の可動距離に対する操作ボタン３３のストロークの減少量が外パイプ２１の肉厚よりも小さくなるため従来よりも係合溝１１ａと突起部３２ａとの係合深さを大きくすることができる。
【００５３】
また、伸縮ストッパ３２を可動範囲の開口部２１ｂから離れた端部に配したときに操作ボタン３３を開口部２１ｂから突出させると、伸縮ストッパ３２の可動距離まで操作ボタン３３のストロークを大きくすることができる。従って、係合溝１１ａと突起部３２ａとの係合深さをより大きくすることができる。
【産業上の利用可能性】
【００５４】
本発明によると、伸縮可能な延長管を有する電気掃除機に利用することができる。
【符号の説明】
【００５５】
１    電気掃除機
２    本体部
３    電動送風機
４    接続ホース
５    把持部
６    吸込口体
６ａ  吸込口
７    回転ブラシ
１０    延長管
１１    内パイプ
１１ａ  係合溝
１２    内パイプカバー
１３    リード線カバー
１４    操作ボタン
１５    端子
１６    内パイプ組品
１７    ストッパ
１８    リード線
２１    外パイプ
２１ａ  拡径部
２１ｂ  開口部
２２    外パイプカバー
２２ａ  挿通孔
２３    電極
３１    連結パイプ
３１ａ  孔部
３２    伸縮ストッパ
３２ａ  突起部
３２ｂ  係合爪
３３    操作ボタン
３３ａ  押圧部
３３ｂ  係合孔
３３ｃ  延設部
３４    付勢部
【図１】
2011055918.tif 000003
【図２】
2011055918.tif 000004
【図３】
2011055918.tif 000005
【図４】
2011055918.tif 000006
【図５】
2011055918.tif 000007
【図７】
2011055918.tif 000008
【図８】
2011055918.tif 000009
【図９】
2011055918.tif 000010
【図１０】
2011055918.tif 000011
【図１１】
2011055918.tif 000012
【図６】
2011055918.tif 000013